(57)【特許請求の範囲】
【請求項１】
木製階段の段板を支持する一対の木製のササラ桁の上端部を、上面視してこれらのササラ桁の延設方向と垂直に配置されている、接合壁面に位置決めした状態で接合するためのササラ桁の位置決め接合構造であって、
位置決めプレートを突出させて前記接合壁面の所定の高さ位置に固定された接合金物と、前記一対のササラ桁の上端部に各々形成された位置決め切欠き部とからなり、
前記接合金物は、左右両側に配置された一対の桁接合プレート部及びこれらの桁接合プレート部を連結する連結プレート部からなる基板プレートと、該基板プレートの前記一対の桁接合プレート部から各々垂直に突出して設けられた、左右両側の第１位置決めプレート及び左右両側の第２位置決めプレートとを含んで形成されており、
左右両側の前記第１位置決めプレートは、前記一対のササラ桁の内側の側面に沿って各々配置されるように、前記一対のササラ桁の設計間隔と同様の間隔を保持した状態で、平行に延設して前記一対の桁接合プレート部に各々縦方向に取り付けられており、
前記第２位置決めプレートは、各々の前記第１位置決めプレートから外側の領域において、前記ササラ桁の横幅を超えない長さで、前記第１位置決めプレートと垂直な横方向に延設して取り付けられており、
前記位置決め切欠き部は、前記ササラ桁の上端部の接合端面からこれと垂直な方向に、且つ前記第２位置決めプレートと対応させた高さ位置に切り込まれると共に、前記第２位置決めプレートの厚さと略同様の切込み幅で、且つ前記第２位置決めプレートの突出長さと略同様の切込み深さで形成された第１切欠きを含んでおり、
前記接合壁面に固定された接合金物に対して、上端部の内側の側面を、前記第１位置決めプレートに各々沿わせると共に、前記第１切欠きに前記第２位置決めプレートを各々挿入係止することで位置決めした状態で、前記一対のササラ桁の上端部が、前記接合金物を介して前記接合壁面に各々接合されているササラ桁の位置決め接合構造。
【請求項２】
前記一対のササラ桁の上端部に各々形成された前記位置決め切欠き部は、各々の前記ササラ桁の上端部の内側の側面を、前記第１位置決めプレートの厚さと略同様の深さで、且つ前記第１位置決めプレートの側面形状と略同様の側面形状となるよう切り欠いて形成された第２切欠きを含んでおり、前記接合壁面に固定された接合金物に対して、前記第１位置決めプレートを前記第２切欠きに納めた状態で、前記ササラ桁の上端部の内側の側面が、前記第１位置決めプレートに沿って位置決めされている請求項１記載のササラ桁の位置決め接合構造。
【請求項３】
前記一対のササラ桁の上端部に各々形成された位置決め切欠き部は、前記ササラ桁の上端部の前記接合端面を、当該接合端面の内側縁部から外側に向けて、前記基板プレートの厚さと略同様の深さで切り欠いて形成された第３切欠きを含んでおり、該第３切欠きに前記桁接合プレート部の少なくとも一部を納めた状態で、前記一対のササラ桁の上端部が、前記接合金物を介して前記接合壁面に各々接合されている請求項１又は２記載のササラ桁の位置決め接合構造。
【請求項４】
前記木製階段が、蹴込み板及び側板の無いオープン階段となっている請求項１〜３のいずれか１項記載のササラ桁の位置決め接合構造。
【請求項５】
前記基板プレートの前記連結プレート部が、ササラ桁に支持される最上段の段板の後端面によって覆い隠されている請求項４記載のササラ桁の位置決め接合構造。
【請求項６】
請求項１〜５のいずれか１項記載のササラ桁の位置決め接合構造に用いる接合金物であって、
左右両側に配置された一対の桁接合プレート部及びこれらの桁接合プレート部を連結する連結プレート部からなる基板プレートと、該基板プレートの前記一対の桁接合プレート部から各々垂直に突出して設けられた、左右両側の第１位置決めプレート及び左右両側の第２位置決めプレートとを含んで形成されており、
左右両側の前記第１位置決めプレートは、前記一対のササラ桁の内側の側面に沿って各々配置されるように、前記一対のササラ桁の設計間隔と同様の間隔を保持した状態で、平行に延設して前記一対の桁接合プレート部に各々縦方向に取り付けられており、
前記第２位置決めプレートは、各々の前記第１位置決めプレートから外側の領域において、前記ササラ桁の横幅を超えない長さで、前記第１位置決めプレートと垂直な横方向に延設して取り付けられている接合金物。
【発明の詳細な説明】
【技術分野】
【０００１】
本発明は、ササラ桁の位置決め接合構造に関し、特に、木製階段の段板を支持する一対のササラ桁の上端部を、上面視してこれらのササラ桁の延設方向と垂直に配置されている、接合壁面に位置決めした状態で接合するためのササラ桁の位置決め接合構造に関する。
【背景技術】
【０００２】
ササラ桁は、階段の段板を下方から支える桁部材であって、階段の勾配に沿って斜めに延設させて、階段の両側部分に一対取り付けられる。ササラ桁には、例えば斜めに延設する上縁部に、階段状の複数の段部が形成されており、各々段部に両側部分を支持させて、各段の段板を取り付けることで、階段が形成されるようになっている（例えば、特許文献１参照）。
【０００３】
ササラ桁は、特に木製階段においては、例えば階段の両側の側壁部に取り付けられることで、階段が形成された後は、段板や蹴込み板等によって覆い隠されるのが一般的であるが、近年、木製階段においても、オープン階段と呼ばれる、ササラ桁が見える状態で形成される意匠性に優れた階段が、種々形成されるようになっている（例えば、特許文献２、特許文献３参照）。
【先行技術文献】
【特許文献】
【０００４】
【特許文献１】特開平１１−３０３２１６号公報
【特許文献２】特開２００５−１３９６９４号公報
【特許文献３】特開２００７−３２０９１号公報
【発明の概要】
【発明が解決しようとする課題】
【０００５】
従来の木製のオープン階段では、木製のササラ桁の上端部を、接合壁面の裏側の、上階や中上階に設けられた床梁等による接合支持部材に支持させた状態で取り付ける場合、例えば図１０（ａ）、（ｂ）に示すように、接合支持部材５１に、ホゾ穴５２やボルト挿通孔５３を切削加工して形成すると共に、ササラ桁５０の上端部にもホゾ加工等を施して、ホゾ５４やボルト挿通孔５５やナット締着口５６を形成しておく。そして、ササラ桁５０の上端部を接合壁面５７に接合する際には、図  １１（ａ）、（ｂ）に示すように、接合支持部材５１のホゾ穴５２に、ササラ桁５０のホゾ５４を嵌め込むと共に、連通させたボルト挿通孔５３，５５に接合ボルト５８を挿通して、ナット５９を用いて締め着けることで、ササラ桁５０の上端部を、上階や中上階の接合支持部材５１に支持させて、接合壁面５７に接合するようになっている。
【０００６】
しかしながら、上記従来の木製のササラ桁５０の上端部を接合壁面５７に接合する構造では、強度面でキッチリと合う寸法となるように、現場施工で接合支持部材５１のホゾ穴５２等にさらに切削加工を施したり、現場施工でササラ桁５０の上端部のホゾ５４等にさらに加工を施す必要を生じて、多くの手間を要することになる。また、ササラ桁５０が長尺のものである場合には、例えば大工職の作業員が、脚立等に登って重いササラ桁５０を持ちながら、ホゾ加工部を合わせる作業には困難が伴うことになると共に、二人以上の複数の作業員を要することになる。
【０００７】
さらに、上記従来の木製のササラ桁５０の上端部を接合壁面５７に接合する構造では、例えば上階や中上階の接合支持部材５１を覆って取り付けられた壁下地材６０を貫通させて、ホゾ５４をホゾ穴５２に嵌め込んだ状態で、ボルト挿通孔５３，５５に挿通した接合ボルト５８を締着して、ササラ桁５０の上端部を接合壁面５７に固定するようになっており、壁下地材６０には、これの表面を覆って壁仕上げ材が取り付けられている。このため、ササラ桁５０の上端部を接合壁面５７に接合した後に、接合ボルト５７に緩み等が発生した場合には、壁仕上げ材で覆われた壁下地材６０を取り外して、接合支持部材５１の裏側から接合ボルト５８を締め直す等のメンテナンスや補修を行う必要を生じて、取り外した壁下地材６０や壁仕上げ材を復旧する作業に多くの手間を要することになる。さらにまた、壁仕上げ材で覆われた壁下地材６０を取り外すことなく、メンテナンス等を行えるように、点検口等を壁面に形成すると、特に木製のオープン階段の場合には、意匠性を損なうことになる。
【０００８】
本発明は、上階や中上階の接合支持部材に切削加工等を施すことなく、接合壁面の表面側から、ササラ桁の上端部を、接合壁面に精度良く容易に接合することのできるササラ桁の位置決め接合構造、及び該接合構造に用いる接合金物を提供することを目的とする。
【課題を解決するための手段】
【０００９】
本発明は、木製階段の段板を支持する一対の木製のササラ桁の上端部を、上面視してこれらのササラ桁の延設方向と垂直に配置されている、接合壁面に位置決めした状態で接合するためのササラ桁の位置決め接合構造であって、位置決めプレートを突出させて前記接合壁面の所定の高さ位置に固定された接合金物と、前記一対のササラ桁の上端部に各々形成された位置決め切欠き部とからなり、前記接合金物は、左右両側に配置された一対の桁接合プレート部及びこれらの桁接合プレート部を連結する連結プレート部からなる基板プレートと、該基板プレートの前記一対の桁接合プレート部から各々垂直に突出して設けられた、左右両側の第１位置決めプレート及び左右両側の第２位置決めプレートとを含んで形成されており、左右両側の前記第１位置決めプレートは、前記一対のササラ桁の内側の側面に沿って各々配置されるように、前記一対のササラ桁の設計間隔と同様の間隔を保持した状態で、平行に延設して前記一対の桁接合プレート部に各々縦方向に取り付けられており、前記第２位置決めプレートは、各々の前記第１位置決めプレートから外側の領域において、前記ササラ桁の横幅を超えない長さで、前記第１位置決めプレートと垂直な横方向に延設して取り付けられており、前記位置決め切欠き部は、前記ササラ桁の上端部の接合端面からこれと垂直な方向に、且つ前記第２位置決めプレートと対応させた高さ位置に切り込まれると共に、前記第２位置決めプレートの厚さと略同様の切込み幅で、且つ前記第２位置決めプレートの突出長さと略同様の切込み深さで形成された第１切欠きを含んでおり、前記接合壁面に固定された接合金物に対して、上端部の内側の側面を、前記第１位置決めプレートに各々沿わせると共に、前記第１切欠きに前記第２位置決めプレートを各々挿入係止することで位置決めした状態で、前記一対のササラ桁の上端部が、前記接合金物を介して前記接合壁面に各々接合されているササラ桁の位置決め接合構造を提供することにより、上記目的を達成したものである。
【００１０】
そして、本発明のササラ桁の位置決め接合構造は、前記一対のササラ桁の上端部に各々形成された前記位置決め切欠き部が、各々の前記ササラ桁の上端部の内側の側面を、前記第１位置決めプレートの厚さと略同様の深さで、且つ前記第１位置決めプレートの側面形状と略同様の側面形状となるよう切り欠いて形成された第２切欠きを含んでおり、前記接合壁面に固定された接合金物に対して、前記第１位置決めプレートを前記第２切欠きに納めた状態で、前記ササラ桁の上端部の内側の側面が、前記第１位置決めプレートに沿って位置決めされていることが好ましい。
【００１１】
また、本発明のササラ桁の位置決め接合構造は、前記一対のササラ桁の上端部に各々形成された位置決め切欠き部が、前記ササラ桁の上端部の前記接合端面を、当該接合端面の内側縁部から外側に向けて、前記基板プレートの厚さと略同様の深さで切り欠いて形成された第３切欠きを含んでおり、該第３切欠きに前記桁接合プレート部の少なくとも一部を納めた状態で、前記一対のササラ桁の上端部が、前記接合金物を介して前記接合壁面に各々接合されていることが好ましい。
【００１２】
さらに、本発明のササラ桁の位置決め接合構造は、前記木製階段が、蹴込み板及び側板の無いオープン階段となっていることが好ましい。
【００１３】
さらにまた、本発明のササラ桁の位置決め接合構造は、前記基板プレートの前記連結プレート部が、ササラ桁に支持される最上段の段板の後端面によって覆い隠されていることが好ましい。
【００１４】
また、本発明は、上記のササラ桁の位置決め接合構造に用いる接合金物であって、左右両側に配置された一対の桁接合プレート部及びこれらの桁接合プレート部を連結する連結プレート部からなる基板プレートと、該基板プレートの前記一対の桁接合プレート部から各々垂直に突出して設けられた、左右両側の第１位置決めプレート及び左右両側の第２位置決めプレートとを含んで形成されており、左右両側の前記第１位置決めプレートは、前記一対のササラ桁の内側の側面に沿って各々配置されるように、前記一対のササラ桁の設計間隔と同様の間隔を保持した状態で、平行に延設して前記一対の桁接合プレート部に各々縦方向に取り付けられており、前記第２位置決めプレートは、各々の前記第１位置決めプレートから外側の領域において、前記ササラ桁の横幅を超えない長さで、前記第１位置決めプレートと垂直な横方向に延設して取り付けられている接合金物を提供することにより、上記目的を達成したものである。
【発明の効果】
【００１５】
本発明のササラ桁の位置決め接合構造、又は該接合構造に用いる接合金物によれば、上階や中上階の接合支持部材に切削加工等を施すことなく、接合壁面の表面側から、ササラ桁の上端部を、接合壁面に精度良く容易に接合することができる。
【図面の簡単な説明】
【００１６】
【図１】本発明の好ましい一実施形態に係るササラ桁の位置決め接合構造を用いて形成されたオープン階段の斜視図である。
【図２】本発明の好ましい一実施形態に係るササラ桁の位置決め接合構造を用いて形成されたオープン階段の側面図である。
【図３】本発明の好ましい一実施形態に係るササラ桁の位置決め接合構造を説明する分解斜視図である。
【図４】段板及びササラ桁を透視した状態で示す接合金物の正面図である。
【図５】図４のＡ−Ａに沿った断面図である。
【図６】段板及びササラ桁を透視した状態で示す接合金物の上面図である。
【図７】（ａ）は、位置決め切欠き部が形成されたササラ桁の上端部を、斜め内側後方から見た斜視図、（ｂ）は、ササラ桁の上端部の上面図である。
【図８】ササラ桁の下端部の床部への接合構造を説明する斜視図である。
【図９】ササラ桁の下端部の床部への接合構造を説明する側面図である。
【図１０】従来のササラ桁の上端部の接合構造を説明する、（ａ）は側面図、（ｂ）は上面図である。
【図１１】従来のササラ桁の上端部の接合構造を説明する、（ａ）は側面図、（ｂ）は上面図である。
【発明を実施するための形態】
【００１７】
本発明の好ましい一実施形態に係るササラ桁の位置決め接合構造１０は、図１〜図３に示すように、例えば木造住宅建築物において、一階（下階）の床部２１から中二階（中上階）の床部２２に昇降するための木製階段を、オープン階段２０として設ける際に、オープン階段２０の段板１２を支持する一対のササラ桁１１の上端部を、一階の床部２１と中二階の床部２２との段差面となっている突当り壁面の上端部を接合壁面２３として、当該接合壁面２３に接合するための構造として採用されたものである。本実施形態のササラ桁の位置決め接合構造１０（図３参照）は、木製のササラ桁１１や段板１２によって覆い隠すことが容易な金属製の接合金物１３（図３参照）を用いることで、接合壁面２３の正面側からの作業によって、一対のササラ桁１１を、所定の取り付け位置に、精度良く且つ容易に位置決めして取り付けることができるようにする。
【００１８】
そして、本実施形態のササラ桁の位置決め接合構造１０は、木製階段として、好ましくはオープン階段２０の段板１２を支持する一対の木製のササラ桁１１の上端部を、上面視してこれらのササラ桁の延設方向と垂直に配置されている、接合壁面２３に位置決めした状態で接合するための接合構造であって、図３に示すように、位置決めプレート１４ａ、１４ｂを突出させて接合壁面２３の所定の高さ位置に固定された接合金物１３と、一対のササラ桁１１の上端部に各々形成された位置決め切欠き部１６とからなる。
【００１９】
接合金物１３は、図４〜図６にも示すように、左右両側に配置された一対の桁接合プレート部１５ａ及びこれらの桁接合プレート部１５ａを連結する連結プレート部１５ｂからなる基板プレート１５と、基板プレート１５の一対の桁接合プレート部１５ａから各々垂直に突出して設けられた、左右両側の第１位置決めプレート１４ａ及び左右両側の第２位置決めプレート１４ｂとを含んで形成されている。左右両側の第１位置決めプレート１４ａは、一対のササラ桁１１の内側の側面に沿って各々配置されるように、一対のササラ桁１１の設計間隔と同様の間隔を保持した状態で、平行に延設して一対の桁接合プレート部１５ａに各々縦方向に取り付けられている。左右両側の第２位置決めプレート１４ｂは、各々の第１位置決めプレート１４ａから外側の領域において、ササラ桁１１の横幅を超えない長さで、第１位置決めプレート１４ａと垂直な横方向に延設して取り付けられている。
【００２０】
位置決め切欠き部１６は、図３及び図７（ａ）、（ｂ）に示すように、ササラ桁１１の上端部の接合端面１１ａからこれと垂直な方向に、且つ第２位置決めプレート１４ｂと対応させた高さ位置に切り込まれると共に、第２位置決めプレート１４ｂの厚さと略同様の切込み幅で、且つ第２位置決めプレート１４ｂの突出長さと略同様の切込み深さで形成された第１切欠き１６ａを含んでいる。接合壁面２３に固定された接合金物１３に対して、上端部の内側の側面を、第１位置決めプレート１４ａに各々沿わせると共に、第１切欠き１６ａに第２位置決めプレート１４ｂを各々挿入係止することで位置決めした状態で、一対のササラ桁１１の上端部が、接合金物１３を介して接合壁面２３に各々接合されている。
【００２１】
また、本実施形態では、一対のササラ桁１１の上端部に各々形成された位置決め切欠き部１６は、各々のササラ桁１１の上端部の内側の側面を、第１位置決めプレート１４ａの厚さと略同様の深さで、且つ第１位置決めプレート１４ａの側面形状と略同様の側面形状となるよう切り欠いて形成された第２切欠き１６ｂを含んでおり、接合壁面２３に固定された接合金物１３に対して、第１位置決めプレート１４ａを第２切欠き１６ｂに納めた状態で、ササラ桁１１の上端部の内側の側面が、第１位置決めプレート１４ａに沿って位置決めされている。
【００２２】
さらに、本実施形態では、一対のササラ桁１１の上端部に各々形成された位置決め切欠き部１６は、ササラ桁１１の上端部の接合端面１１ａを、当該接合端面１１ａの内側縁部から外側に向けて、基板プレート１５の厚さと略同様の深さで切り欠いて形成された第３切欠き１６ｃを含んでおり、この第３切欠き１６ｃに桁接合プレート部１５ａの少なくとも一部を納めた状態で、一対のササラ桁１１の上端部が、接合金物１３を介して接合壁面２３に各々接合されている。
【００２３】
本実施形態では、ササラ桁１１は、例えば多数の木材の端材を積層させて、接着剤を介して一体として接合した集成木材からなる。ササラ桁１１は、図２及び図３に示すように、例えば工場加工によって、例えば３０〜１５０ｍｍ程度の桁幅方向の厚さを備えると共に、接合壁面２３と一階の床部２１との間に、例えば２０〜５６度程度の傾斜角度θで斜めに架設することが可能な長さを有するように形成されている。また、ササラ桁１１は、斜めに架設された際の上端部に、接合壁面２３に沿って配置される垂直な接合端面１１ａを備えると共に、下端部に、一階の床部２１に沿って配置される水平な載置端面１１ｂを備えるように形成されている。さらに、ササラ桁１１は、斜めに架設された際に、下縁部１１ｃが、オープン階段１０の勾配に沿って直線状に斜めに延設するように形成されると共に、上縁部１１ｄに、階段状の複数の段部を備えるように形成されている。ササラ桁１１の上端部の接合端面１１ａには、後述する位置決め切欠き部１６が、例えば工場加工によって形成されている。
【００２４】
本実施形態の位置決め接合構造１０を構成する接合金物１３は、上述のように、左右両側に配置された一対の桁接合プレート部１５ａ及びこれらの桁接合プレート部１５ａを連結する連結プレート部１５ｂからなる基板プレート１５と、基板プレート１５の一対の桁接合プレート部１５ａから各々垂直に突出して設けられた、左右両側の第１位置決めプレート１４ａ及び左右両側の第２位置決めプレート１４ｂとを含んで形成されている。
【００２５】
基板プレート１５は、図３及び図４〜図６に示すように、例えば厚さが４〜１０ｍｍ程度の鋼製のプレート部材に切断加工等を施すことによって形成される。基板プレート１５は、例えば縦幅が１２０〜２００ｍｍ程度、横幅が５０〜１５０ｍｍ程度の大きさの、下端部分の内側角部が斜めに切り欠かれた略縦長矩形の正面形状を備える一対の桁接合プレート部１５ａと、これらの一対の桁接合プレート部１５ａを上端部分において連結する、例えば縦幅が１０〜５５ｍｍ程度の細長い横長の帯板形状を備える連結プレート部１５ｂとからなる。これらによって、基板プレート１５は、例えば３００〜９００ｍｍ程度の間隔を一対の桁接合プレート部１５ａの間に保持して、扁平なコの字の正面形状を有するように形成されている。
【００２６】
また、基板プレート１５の一対の桁接合プレート部１５ａには、第１位置決めプレート１４ａの取付け位置よりも内側に配置されて、例えばコーチトボルト固定用の固定孔１５ｃが、各々２箇所に配置されて開口形成されている。連結プレート部１５ｂには、ビス固定用のビス孔１５ｄが、複数箇所に配置されて開口形成されている。接合壁面２３の裏側の床梁等による接合支持部材に向けて、固定孔１５ｃを介してコーチボルトを打ち込むと共に、ビス孔１５ｄを介して固定ビスを打ち込むことによって、接合金物１３を、接合壁面２３の所定の高さ位置に、強固に且つ安定した状態で固定することが可能になる。
【００２７】
本実施形態では、第１位置決めプレート１４ａ及び第２位置決めプレート１４ｂは、例えば厚さが２〜１０ｍｍ程度の鋼製のプレート部材に切断加工や溶接加工等を施すことによって、一体として形成されたものとなっている。すなわち、例えば縦幅が３０〜１００ｍｍ程度、横幅が５０〜１２０ｍｍ程度の大きさの、略横長矩形の側面形状を有する第１位置決めプレート１４ａの上辺部における、基板プレート１５への接合部側の一方の角部分に、例えば横幅が２０〜１４０ｍｍ程度、張出し幅が１０〜３０ｍｍ程度の矩形の上面形状を有する第２位置決めプレート１４ｂを、第１位置決めプレート１４ａから外側に垂直に張り出させて、溶接等によって接合することで、一体となった第１位置決めプレート１４ａ及び第２位置決めプレート１４ｂが形成される。
【００２８】
第１位置決めプレート１４ａ及び第２位置決めプレート１４ｂは、基板プレート１５の両側の桁接合プレート部１５ａの下半部分において、第２位置決めプレート１４ｂを外側に配置すると共に、第１位置決めプレート１４ａを、各々の桁接合プレート部１５ａの中央部分に縦方向に配置して、これらの位置決めプレート１４ａ，１４ｂの端面を溶接等によって接合することで、各々の桁接合プレート部１５ａの表面から垂直前方に突出させた状態で、各々の桁接合プレート部１５ａに一体として取り付けられる。また左右両側の一対の第１位置決めプレート１４ａ及び第２位置決めプレート１４ｂは、両側の第１位置決めプレート１４ａの間に、一対のササラ桁１１の設計間隔と同様の間隔を保持すると共に、両側の第１位置決めプレート１４ａを平行に延設させた状態で、各々の桁接合プレート部１５ａに一体として取り付けられる。
【００２９】
これらによって、左右両側の第１位置決めプレート１４ａは、一対のササラ桁１１の内側の側面に沿って各々配置されるように、一対のササラ桁１１の設計間隔と同様の間隔を保持した状態で、平行に延設して一対の桁接合プレート部１５ａに各々縦方向に取り付けられる。また、左右両側の第２位置決めプレート１４ｂは、各々の第１位置決めプレート１４ａから外側の領域において、ササラ桁１１の横幅を超えない長さで、第１位置決めプレート１４ａと垂直な横方向に延設して取り付けられる。左右両側の第１位置決めプレート１４ａには、ササラ桁１１の上端部の内側面に向けて木ビスを打ち込むためのビス孔１４ｃが、各々４箇所に配置されて形成されている。
【００３０】
また、本実施形態では、基板プレート１５の連結プレート部１５ｂは、ササラ桁１１に支持されて取り付けられる段板１２の厚さよりも、小さな縦幅を有している（図４参照）。これによって、例えば連結プレート部１５ｂの下辺部が、ササラ桁１１に支持される最上段の段板１２の後端面の下辺部の高さ位置に沿うように、基板プレート１５を配置して、接合金物１３を接合壁面２３に取り付けることで、連結プレート部１５ｂを、ササラ桁１１に支持される最上段の段板１２の後端面によって覆い隠すことが可能になる（図４、図５参照）。
【００３１】
本実施形態では、最上段の段板１２の後端面に、下辺部から上辺部に至ることなく、連結プレート部１５ｂの厚さと同様の深さで切り欠かれたプレート収納段部１２ａが、連結プレート部１５ｂの長さと同様の横幅を有するように形成されている（図４、図５参照）。これによって、ササラ桁１１に支持させて、最上段の段板１２を取り付ける際に、プレート収納段部１２ａに連結プレート部１５ｂを納めた状態で、段板１２の後端面を接合壁面２３に当接させることが可能になる。またこれによって、連結プレート部１５ｂの上端面及び左右の側端面を、段板１２によって覆い隠すことが可能になると共に、段板１２の後端面を、接合壁面２３に隙間なく密着させることが可能になる。
【００３２】
本実施形態では、接合金物１３と共に位置決め接合構造１０を構成する、ササラ桁１１の上端部の接合端面１１ａに形成された位置決め切欠き部１６は、図３及び図７（ａ）、（ｂ）に示すように、ササラ桁１１の上端部の接合端面１１ａからこれと垂直な方向に切り込まれた第１切欠き１６ａと、ササラ桁１１の上端部の内側の側面を第１位置決めプレート１４ａの側面形状と略同様の形状で切り欠いて形成された第２切欠き１６ｂと、ササラ桁１１の上端部の接合端面１１ａを、これの内側縁部から外側に向けて切り欠いて形成された第３切欠き１６ｃと含んで形成されている。
【００３３】
第１切欠き１６ａは、ササラ桁１１の上端部の接合端面１１ａに、横方向に切り込まれた切り溝状の切欠き部分である。第１切欠き１６ａは、ササラ桁１１の上端部を接合壁面２３に接合する際に、接合壁面２３の所定の高さ位置に固定された接合金物１３における、横方向に延設して桁接合プレート部１５ａから突出して取り付けられた第２位置決めプレート１４ｂを挿入係止させて、ササラ桁１１の上端部を上下方向に位置決めさせる。第１切欠き１６ａは、ササラ桁１１の上端部の接合端面１１ａにおける、第２位置決めプレート１４ｂと対応する高さ位置において、接合端面１１ａと垂直な深さ方向に、第２位置決めプレート１４ｂの厚さと略同様の上下の切込み幅で、且つ第２位置決めプレート１４ｂの第１位置決めプレート１４ａからの張り出し幅と同様の横幅で、第２位置決めプレート１４ｂの基板プレート１５からの突出長さ（横幅）と略同様の切込み深さを有するように形成される。
【００３４】
第２切欠き１６ｂは、ササラ桁１１の内側の側面に沿って浅く切り欠かれた凹状の切欠き部分である。第２切欠き１６ｂは、ササラ桁１１の上端部を接合壁面２３に接合する際に、接合壁面２３の所定の高さ位置に固定された接合金物１３における、縦方向に延設して桁接合プレート部１５ａから突出して取り付けられた第１位置決めプレート１４ａを、納めた状態で添設係止させて、ササラ桁１１の上端部を左右方向に位置決めさせる。第２切欠き１６ｂは、ササラ桁１１の上端部の内側の側面における、第１位置決めプレート１４ａと対応させた高さ位置において、ササラ桁１１の第３切欠き１６ｃが設けられた部分の接合端面１１ａから、第１位置決めプレート１４ａの厚さと略同様の深さで、且つ第１位置決めプレート１４ａの側面形状と同様の、略横長矩形の側面形状となるよう切り欠いて形成される。
【００３５】
なお、本発明では、ササラ桁１１の内側の側面に沿って第２切欠き１６ｂを設ける必要は必ずしも無く、第２切欠き１６ｂに第２位置決めプレート１４ｂを納めることなく、接合壁面２３に固定された接合金物１３の第１位置決めプレート１４ａに、上端部の内側の側面を単に沿わせてササラ桁１１を取り付けるだけでも、ササラ桁１１の上端部の左右方向への位置決めを容易に行うことができる。一方、ササラ桁１１の内側の側面に第２切欠き１６ｂを設けて、第２切欠き１６ｂに第２位置決めプレート１４ｂを納めるようにすることで、第２位置決めプレート１４ｂを外観上目立たなくすることが可能になる。
【００３６】
第３切欠き１６ｃは、ササラ桁１１の上端部の接合端面１１ａを、浅く切り欠くことによって形成された段差状の切欠き部分である。第３切欠き１６ｃは、ササラ桁１１の上端部を接合壁面２３に接合する際に、接合壁面２３の所定の高さ位置に固定された接合金物１３における、桁接合プレート部１５ａの第１位置決めプレート１４ａが設けられた中央部分よりも外側の部分を納めた状態で、ササラ桁１１の接合端面１１ａを接合壁面２３に当接させる。第３切欠き１６ｃは、ササラ桁１１の上端部の接合端面１１ａの上下方向全長に亘って、幅方向外側の略１／３の部分を残して、且つ内側縁部から外側に向けて、基板プレート１５の厚さと略同様の深さで当該接合端面１４ａを切り欠くことによって形成されている。
【００３７】
なお、本発明では、ササラ桁１１の接合端面１１ａに第２切欠き１６ｂを形成する必要は必ずしも無い。一方、ササラ桁１１の接合端面１１ａに第３切欠き１６ｃを設けて、基板プレート１５の桁接合プレート部１５ａの第１位置決めプレート１４ａよりも外側の部分を、納めた状態でササラ桁１１の上端部を接合壁面２３に接合することで、基板プレート１５の桁接合プレート部１５ａを外観上目立たなくすることが可能になる。
【００３８】
本実施形態のササラ桁の位置決め接合構造１０では、上述の構成を備える接合金物１３を、接合壁面２３における設定された所定の高さ位置に固定する。接合金物１３を所定の高さ位置に固定する作業は、接合壁面２３の正面側からの作業によって、接合壁面２３を構成する壁下地材２４（図５参照）や、これの裏側の接合支持部材に向けて、コーチトボルトや固定ビスを、固定孔１５ｃやビス孔１５ｄを介して打ち込むことで、容易に且つ精度良く行うことができる。
【００３９】
接合金物１３を所定の高さ位置に固定したら、固定した接合金物１３を介して、一対のササラ桁１１の上端部を接合壁面２３に接合する。ササラ桁１１の上端部を接合壁面２３に接合するには、接合壁面２３の正面側での作業によって、ササラ桁１１の上端部の接合端面１１ａに形成された位置決め切欠き部１６の第１切欠き１６ａに、接合金物１３の第２位置決めプレート１４ｂを挿入して係止させると共に、ササラ桁１１の上端部の内側の側面に形成された位置決め切欠き部１６の第２切欠き１６ｂに、接合金物１３の第１位置決めプレート１４ａを納めるようにして、ササラ桁１１の上端部の内側の側面を接合金物１３の第１位置決めプレート１４ａに沿わせる。また、ササラ桁１１の上端部の接合端面１１ａを、位置決め切欠き部１６の第３切欠き１６ｃに、桁接合プレート部１５ａの中央部分よりも外側の部分を納めるようにして、接合壁面２３に当接させる。
【００４０】
これらによって、一対のササラ桁１１の上端部は、接合端面１１ａに対して上下方向、左右方向、及び前後方向に、精度良く容易に位置決めされるので、このようにして位置決めされた状態で、接合金物１３の第１位置決めプレート１４ａに設けられたビス孔１４ｃを介して、ササラ桁１１の上端部の内側の側面に向けて木ビスを打ち込むことで、一対のササラ桁１１の上端部が接合金物１３を介して接合壁面２３に各々接合固定される。
【００４１】
また、本実施形態では、上述の位置決め接合構造１０によって、ササラ桁１１の上端部を接合壁面２３に接合した後に、或いはササラ桁１１の上端部を接合壁面２３に接合するのに伴って、図８及び図９に示すように、ササラ桁１１の下端部を床部２１に接合する作業を行う。すなわち、一階の床部２１の床面に沿わせるようにして、ササラ桁１１の下端部の載置端面１１ｂを床部２１の床面に当接させて載置すると共に、ササラ桁１１の下端部の先端垂直面１１ｅの下端部分を、Ｌ字型固定金具３１を用いて床部２１に固定する。Ｌ字型固定金具３１は、複数のビス固定孔を備える垂直プレート部３１ａと、複数のビス固定孔を備える水平プレート部３１ｂとからなるＬ字断面形状を備える金物である。
【００４２】
設置されたササラ桁１１の先端垂直面１１ｅと床部２１との接合角部分に、Ｌ字型固定金具３１を配置して、垂直プレート部３１ａの裏面を先端垂直面１１ｅに密着させて固定ビスで固定すると共に、垂直プレート部３１ａの底面を床部２１に密着させて固定ビスで固定することによって、ササラ桁１１の下端部を、容易に且つ安定した状態で床部２１に固定することが可能になる。
【００４３】
また、ササラ桁１１の下端部を床部２１に固定したら、先端垂直面１１ｅを、例えばＬ字型固定金具３１と重なる部分に当該Ｌ字型固定金具３１の形状に合わせた切欠き溝３２ａが形成された、ササラ桁１１と同様の集成木材からなるカバー材３２によって覆うことで、Ｌ字型固定金具３１を覆い隠すことにより、ササラ桁１１の意匠性を保持することが可能になる。ササラ桁１１の最下段の段部１１ｆの長さを、他の段部の長さよりもカバー材３２の厚さ分、短くしておくことで、先端垂直面１１ｅを覆ってカバー材３２を取り付けた後の最下段の段部１１ｆの長さを、他の段部の長さと同様の長さに保持することが可能になる。
【００４４】
本実施形態では、上述のようにして、上端部を接合壁面２３に接合固定すると共に、下端部を床部２１に接合固定して、一階の床部２１と中二階の床部２２との間に斜めに架設された一対のササラ桁１１には、例えば従来と同様の方法によって、これらのササラ１１の各段部に両側部を支持させて、複数の段板１２を取り付けると共に、取り付けた段板１２の一方の側端部に沿って、手摺２４を立設させた状態で取り付ける。これらによって、図１及び図２に示すような、木製のオープン階段２０が形成される。
【００４５】
そして、上述の構成を備える本実施形態のササラ桁の位置決め接合構造１０によれば、中上階の接合支持部材に切削加工等を施すことなく、接合壁面２３の表面側から、ササラ桁１１の上端部を、接合壁面２３に精度良く容易に接合することが可能になる。
【００４６】
すなわち、本実施形態の位置決め接合構造１０は、位置決めプレート１４ａ、１４ｂを突出させて接合壁面２３の所定の高さ位置に固定された接合金物１３と、一対のササラ桁１１の上端部に各々形成された位置決め切欠き部１６とからなり、接合金物１３の固定は、接合壁面２３の正面側からの作業によって、接合壁面２３を構成する壁下地材２４や、これの裏側の接合支持部材に向けて、コーチトボルトや固定ビスを、固定孔１５ｃやビス孔１５ｄを介して打ち込むことで、容易に且つ精度良く行うことができる。また一対のササラ桁１１の上端部の接合は、接合壁面２３の正面側からの作業によって、接合壁面２３に固定された接合金物１３に対して、上端部の内側の側面を、第１位置決めプレート１４ａに各々沿わせると共に、第１切欠き１６ａに第２位置決めプレート１４ｂを各々挿入係止することで位置決めした状態で、接合端面１１ａを接合壁面２３に当接させることで、容易に且つ精度良く行うことができる。
【００４７】
これらによって、本実施形態のササラ桁の位置決め接合構造１０によれば、接合支持部材にホゾ加工のための切削加工等を施すことなく、且つ桁接合プレート部１５ａにおける固定孔１５ｃが形成された第１位置決めプレート１４ａよりも内側部分や、ビス孔１４ｃが形成された第１位置決めプレート１４ａの部分を除いて、接合金物１３の全体を、ササラ桁１１や段板１２によって目立たないように効果的に覆い隠した状態として、木製のオープン階段２０としての意匠性を損なうことなく、ササラ桁１１の上端部を、接合壁面２３に精度良く容易に接合することが可能になる。
【００４８】
また、本実施形態によれば、接合支持部材に切削加工等を施す必要がないので、接合支持部材の強度が低下するのを回避することが可能になる。さらに、本実施形態によれば、桁接合プレート部１５ａの第１位置決めプレート１４ａよりも内側部分の固定孔１５ｃに打ち込まれたコーチトボルトや、第１位置決めプレート１４ａのビス孔１４ｃに打ち込まれた固定ビスや、最上段の段板によって覆い隠されていた連結プレート部１５ｂのビス孔１５ｄに打ち込まれた固定ビスを、締め直す等のメンテナンスや補修を、接合壁面２３の正面側からの作業によって行うことができるので、ササラ桁１１の上端部の接合壁面２３への接合部分に緩み等が発生した場合でも、壁下地材２３等を取り外すことなく、これらのメンテナンスや補修を容易に行うことが可能になる。
【００４９】
なお、本発明は上記実施形態に限定されることなく種々の変更が可能である。例えば、本発明のササラ桁の位置決め接合構造は、オープン階段以外の木製階段のササラ桁を、接合壁面に接合するための構造として採用することもできる。また、ササラ桁は、一階（下階）の床部から中二階（中上階）の床部に昇降するための木製階段を構成するものである必要は必ずしも無く、一階（下階）の床部から二階（上階）の床部に昇降するための木製階段を構成するものであっても良い。
【符号の説明】
【００５０】
１０  ササラ桁の位置決め接合構造
１１  ササラ桁
１１ａ  接合端面
１１ｂ  載置端面
１１ｃ  下縁部
１１ｄ  上縁部
１１ｅ  先端垂直面
１１ｆ  最下段の段部
１２  段板
１３  接合金物
１４ａ  第１位置決めプレート
１４ｂ  第２位置決めプレート
１４ｃ  ビス孔
１５  基板プレート
１５ａ  桁接合プレート部
１５ｂ  連結プレート部
１５ｃ  固定孔
１５ｄ  ビス孔
１６  位置決め切欠き部
１６ａ  第１切欠き
１６ｂ  第２切欠き
１６ｃ  第３切欠き
２０  オープン階段
２１  一階（下階）の床部
２２  中二階（中上階）の床部
２３  接合壁面
２４  手摺
３１  Ｌ字型固定金具
３２  カバー材
【図１】
0006021831.tif 000002
【図２】
0006021831.tif 000003
【図３】
0006021831.tif 000004
【図４】
0006021831.tif 000005
【図５】
0006021831.tif 000006
【図６】
0006021831.tif 000007
【図７】
0006021831.tif 000008
【図８】
0006021831.tif 000009
【図９】
0006021831.tif 000010
【図１０】
0006021831.tif 000011
【図１１】
0006021831.tif 000012